(57)【要約】【課題】ホッパ内に遊技媒体が留まった状態で放置される虞を低減可能な遊技装置を提供する。【解決手段】ホッパ内に溜まった遊技媒体を計数するための計数処理中に計数処理の停止操作を許容する第１期間と、計数処理の停止操作を抑制する第２期間を設けるため、ホッパ内に遊技媒体が留まった状態で放置される虞を低減可能となる。【選択図】図１０
2020081445.tif 000002
【特許請求の範囲】
【請求項１】
遊技媒体が投入される計数受入手段と、
前記計数受入手段に投入された前記遊技媒体を貯留する貯留手段と、
前記貯留手段に貯留される前記遊技媒体の個数を計数するための計数処理を行う計数処理手段と、を備え、
前記計数処理手段による前記遊技媒体の計数処理中に、当該計数処理の停止操作が許容される第１期間と、当該第１期間と比較して計数処理の停止操作が抑制される第２期間と、が設けられることを特徴とする遊技装置。
【請求項２】
遊技者が所有する遊技価値を特定可能な記録媒体の発行処理を行う発行処理手段を備えており、
計数処理には前記遊技媒体を送出するための回転盤を回転させる処理が含まれ、
前記計数処理手段による前記遊技媒体の計数処理中には前記発行処理手段における前記記録媒体の発行処理が抑制されることを特徴とする請求項１に記載の遊技装置。
【請求項３】
計数処理には前記遊技媒体を送出するための回転盤を回転させる処理であって、前記貯留手段内に貯留される前記遊技媒体を計数する通常計数処理と、通常計数処理後に前記貯留手段内に残存する前記遊技媒体が残存しないようにするために実行される計数補助処理と、が含まれ、
当該計数補助処理に対応して前記第２期間が設けられることを特徴とする請求項１に記載の遊技装置。
【請求項４】
前記通常計数処理における前記回転盤の回転方向を正回転方向とした場合に、前記計数補助処理では、前記回転盤を正回転に対して逆回転させる処理と、当該逆回転後に正回転に戻す処理と、が行われ、
前記第２期間は、前記通常計数処理が行われる期間と、前記計数補助処理において前記回転盤を逆回転させる期間とに対応して設けられる一方、前記第１期間は、前記計数補助処理において回転盤を正回転させる期間に対応して設けられることを特徴とする請求項３に記載の遊技装置。
【請求項５】
前記計数補助処理を行う期間において前記遊技媒体を検知した場合に前記通常計数処理を行い、当該通常計数処理後にも前記計数補助処理を再度行うことを特徴とする請求項３または４に記載の遊技装置。
【発明の詳細な説明】
【技術分野】
【０００１】
本発明は、遊技装置に関する。
【背景技術】
【０００２】
メダル用の各台計数機において、計数処理中にホッパ内の回転盤の作動を停止する停止操作を可能としているが、ホッパ内にメダルが残存しているにも関わらず、この停止操作を行って離席する遊技者が多く、閉店後にホッパ内にメダルが残存している各台計数機が多く見受けられ、問題となっている。
【０００３】
スロットマシン等の遊技機が設けられる遊技場では、例えば各遊技機に対応して計数機能を有した遊技装置、所謂各台計数機を設けることで、従業員が遊技価値を島端計数機まで運搬する労力を軽減でき、このような遊技装置を採用する遊技場も少なくない（特許文献１）。
【先行技術文献】
【特許文献】
【０００４】
【特許文献１】特開２０１３−２３６７１２号公報
【発明の概要】
【発明が解決しようとする課題】
【０００５】
特許文献１ではメダル計数後にメダル詰まりを解消するために最後のメダル検知から数秒後に回転盤を逆回転させることが示されているが、このような計数処理が行われるとその動作により遊技に集中できない等の理由の為、計数処理を停止する停止ボタンが設けられており、その操作により回転盤の回転を停止する構成となっている。
【０００６】
このような各台計数機を採用した店舗において、閉店後に回転盤が設けられるホッパ内にメダルが残存していることが散見され、この場合、操作ログを参照することにより停止ボタンを操作している傾向が見受けられた。つまり、遊技を終了した遊技者が退店を急ぐあまり、計数処理中にホッパ内にメダルが残存しているにもかかわらず、計数されるメダルの音等が暫く確認できないから、全てのメダルを計数したと誤認して停止ボタンを操作することで、ホッパにメダルが残存する場合があると推測される。
【０００７】
本案は上記事情に鑑み、ホッパ内に遊技媒体が留まった状態で放置される虞を低減可能な遊技装置を提供することを目的とする。
【課題を解決するための手段】
【０００８】
請求項１の発明によれば、ホッパ内に溜まった遊技媒体を計数するための計数処理中に計数処理の停止操作を許容する第１期間と、計数処理の停止操作を抑制する第２期間を設けるため、ホッパ内に遊技媒体が留まった状態で放置される虞を低減可能となる。
【図面の簡単な説明】
【０００９】
【図１】本発明の実施形態を示す全体構成図
【図２】遊技機及び遊技装置の正面図
【図３】遊技機の役と出率との関係を示す図
【図４】遊技装置の概略構成を示すブロック図
【図５】計数受入れ部の近傍部分の斜視図
【図６】計数受入れ部の近傍部分の分解斜視図
【図７】計数ユニットの概略構成を示す斜視図
【図８】計数処理部の概略構成を示す斜視図
【図９】計数ユニットの概略構成を示す一部透視斜視図
【図１０】計数処理の内容を示す模式図
【図１１】計数中表示の一例を示す図であり、（ａ）は第１期間の表示内容の概略を示す図、（ｂ）は第２期間の表示内容の概略を示す図
【図１２】処理フローを示す図（その１）
【図１３】処理フローを示す図（その２）
【図１４】処理フローを示す図（その３）
【発明を実施するための形態】
【００１０】
以下、本発明の一実施形態について図１から図１４を参照して説明する。
図１は、遊技場用システムの全体構成を概略的に示している。遊技場には、多数の遊技機（例えば同図１に示すスロットマシン）１が設置されており、各遊技機１に対応して遊技装置２が設置されている。遊技機１及び遊技装置２は、夫々２台ずつ１台の中継装置３に接続されており、中継装置３はＬＡＮ４を介して管理装置５に接続されている。ＬＡＮ４には、景品交換処理を行うＰＯＳ等の周辺機器が管理装置５と通信可能に接続されている。
【００１１】
管理装置５は、遊技場内の例えば管理室に設置されており、キーボード５ａ、モニタ５ｂやプリンタ（図示略）等を備えている。管理装置５は、遊技機側（遊技機１、遊技装置２等）の機器や、ＰＯＳ等の周辺機器から送信される遊技信号を受信することにより、各種遊技情報を管理する。
【００１２】
尚、図１では省略しているが、数百台の遊技機１が管理装置５の管理対象となっている。また、上記したように遊技機１がスロットマシンの場合、その遊技価値（遊技媒体）はメダルであり、遊技機がパチンコ機であれば、遊技価値はパチンコ玉である。以下の説明では、遊技価値（遊技媒体）をメダルとして説明する。
【００１３】
以下の説明において、図２の紙面に直交する方向を前後方向（紙面手前側を前方）とし、図２の紙面における左右方向を、同図の遊技装置２の左右方向（紙面右側を右方）とする。つまり、遊技装置２を正面から見た場合を基準として方向を規定する。
【００１４】
図２に示すように、遊技機１の前面には、液晶表示部６、及び左右一対のスピーカ７が配置され、更に、表示窓８を介して視認可能なリール９、有効化された入賞ラインを示す有効ライン表示部１０、クレジット（貯留）されたメダルを払い出させるためのクレジット清算釦１１、クレジットされたメダルを投入するためのＭＡＸＢＥＴ釦１２、メダルを直接投入するためのメダル投入口１３、スタートレバー１４、及び左ストップ釦１５、中ストップ釦１６、右ストップ釦１７、払出数表示部１８、クレジット数表示部１９、受皿２０等を備えている。
【００１５】
遊技機１は、メダルが投入された状態でスタートレバー１４が操作されると（ゲーム開始操作が行われると）、発生する乱数の中から１つの乱数を抽出して内部抽選を実行し、内部当選役がある場合には当該内部当選役に対応するフラグを成立させると共に、各リール９を始動（回転）させ、この状態で各ストップ釦１５〜１７が操作されると、対応するリール９の回転を停止させる。続いて、内部当選役のフラグに応じて各リール９の停止位置を決定するための図示しない停止テーブルに基づいて、所謂引込制御（すべり制御）を含む停止制御（各リール９を内部当選役フラグの種類に応じた入賞図柄又はハズレ図柄で停止表示させる制御）を実行する。引込制御は、各ストップ釦１５〜１７の操作を検出した時点から予め規定された引込範囲（最大で４図柄まで）にある図柄を入賞ライン上に引込んで停止させることが可能な制御である。
【００１６】
遊技機１には、所謂ボーナス役としてのＢＢ（ビッグボーナス）役及びＲＢ（レギュラーボーナス）役、小役及びリプレイ役が設けられている。遊技機１には、図２に示すように、合計５本（表示窓８の上段、中段、下段に対応した横方向に１本ずつの３本及び斜め方向の２本）の有効ラインが設けられている。遊技者によるストップ釦１５〜１７の操作によってこれらの有効ラインのうち何れかの有効ライン上に内部当選役に対応する図柄が揃ったとき、つまり有効ライン上に停止表示された図柄の組合せが内部当選役に対応する図柄の組合せと一致したとき、入賞となる。
【００１７】
入賞となった場合には、ＢＢ状態やＲＢ状態の発生、或いは、対応する枚数のメダルの払い出し（遊技価値の付与）が行われる。例えば、ＢＢ、ＲＢ図柄が揃ったときは各々ＢＢ状態、ＲＢ状態に移行し、ＢＢ、ＲＢ中は小役の入賞率が高まる。こうしたＢＢ状態やＲＢ状態は、所定の払出枚数に達すると終了する。
【００１８】
遊技機１は、設定値を変更することによりＢＢ役及びＲＢ役の内部当選確率を変更可能となっている。この設定値は、図３に例示するように１〜６の６段階設けられている。この設定値は遊技場の管理者により何れか１つが選択されて使用される。各設定値には、夫々理論上の出率（出玉率）が対応付けられており、この出率は、上記したボーナス役の内部当選確率により調節される。つまり、遊技機１では、設定値が大きいほどボーナス役当選確率が高くなり、それに伴って理論上の出率が大きくなる。尚、小役確率については全設定共通であるが、異なっていてもよい。
【００１９】
上記した遊技機１の設定値(モード）を変更するには、電源スイッチにて遊技機１を電源ＯＦＦし、設定キーにて設定モード切替部（何れも図示略）を「遊技」→「設定」とする切替えを行い、電源ＯＮすると設定変更可能状態へと移行する。設定変更可能状態では、クレジット数表示部１９にて遊技機設定値(モード）を表示し、その表示は、図示しない設定ボタンの操作に応じて順に切り替わる。変更したい設定値が表示されているときにスタートレバー１４を操作すると設定値が確定する。
【００２０】
遊技機１からは次の信号が出力される。
アウト信号＝遊技機１から出力される。開始操作に応じベット状態のメダルを消費したとしてベット状態のメダル数（３枚）分がパルス出力されるので、アウト信号数×１がアウト（消費価値、使用媒体数）となる。尚、リプレイ時にも対応分を出力する。
セーフ信号＝遊技機１から出力される。入賞に応じてメダルが１枚払出（付与）される毎に１パルス出力されるので、セーフ信号数×１がセーフ（入賞付与価値、払出媒体数）となる。尚、リプレイ役入賞時にも、そのゲームに使用されたメダル分を出力する。
ＢＢまたはＲＢ信号＝遊技機１から出力される。対応するボーナス状態（ＢＢ、ＲＢ）にレベル出力されるので、信号入力期間をボーナス状態として特定する。
【００２１】
遊技装置２は、図４に示すように、ＣＰＵ２ｂ、ＲＯＭ２ｃ、ＲＡＭ２ｄ、Ｉ／Ｏ２ｅを有するマイクロコンピュータにより構成される制御部２ａにより動作する。遊技装置２は、貨幣が投入される貨幣投入口２２、遊技装置２や遊技機１の遊技状態を示す状態表示灯２３、返却操作用の返却釦２５、払出操作用の払出釦２６、払出釦２６の押下に応じてメダルを遊技機１の受皿２０に払出す払出ノズル２７、表示部２８を備えている。表示部２８は、種々の情報を表示する情報表示部２８ａ、計数処理の停止操作を行う計数停止釦２８ｂ、メダルの計数に関する情報を表示する持玉表示部２８ｃを備えている。
【００２２】
本実施形態の遊技装置２は、図４、及び後述する図７から図９に示すように、計数処理部２９を備えている。計数処理部２９は所謂各台計数機能を有する。計数処理部２９はメダルを検知可能な計数センサ２９ａを備えており、制御部２ａに通信可能に接続されている。
【００２３】
遊技装置２は、遊技者が獲得したメダルを、計数受入れ部３０を介して受入れ可能であり、受入れられたメダルを計数処理部２９で計数して持玉として管理し、遊技者が払出釦２６を押下（付与操作を受付）すると、その持玉を対価とした払戻処理（価値付与処理）を行った場合はその対価分（払い戻したメダルと同数）を持玉から減算する。計数受入れ部３０は遊技媒体が投入される計数受入手段として機能する。そして、残高や持玉が残存する状態で遊技者が返却釦２５を押下（発行操作を受付）すると、残高や持玉を特定可能なＩＣカードを発行する。ＩＣカードは遊技者が有する遊技価値を特定可能な一般カードや会員カードを含む。また、ＩＣカードを受け付けた場合は、その残高や持玉を引継ぐ。尚、以降の説明を含め遊技価値がメダルとなるスロットマシンを例示しているが、説明の都合上、持「玉」等のように、遊技価値をメダルではなく玉と表現する場合がある。
【００２４】
遊技装置２は中継装置３とのシリアル通信により貨幣受付処理や対価付与処理、価値付与処理、残高、持玉、貸出メダル、払戻数、入金額や計数玉数や、貸出の対価となる売上額、及びＩＣカードの受付や発行処理等の各種情報を特定可能であるが、これらをパルス信号（例えば入金１０００円毎に１パルス、売上１００円毎に１パルス等）にて特定してもよい。
【００２５】
さて、図２に示したように、メダルが払出される遊技機１の受皿２０は、その遊技機１の下方に位置するのに対し、遊技装置２の計数受入れ部３０は、遊技機１の受皿２０よりも上方に配置した位置関係にある。このように、遊技機１に対応する遊技装置２に備えられた計数受入れ部３０（或いは当該遊技装置２）は、遊技機１の側部に並ぶようにして遊技機１，１間に設けられている。
【００２６】
図５及び図６は、遊技装置２の構成を説明するための図であり、計数受入れ部３０近傍の斜視図及び分解斜視図を示している。遊技装置２は払出ノズル２７と計数受入れ部３０が設けられた所謂各台計数機である。図５に示す様に、計数受入れ部３０は、遊技装置２の前面側のベースプレート３１に対し、例えば合成樹脂材料からなる上下の取付体３２，３３を介して組付けられる。具体的には、ベースプレート３１は、遊技装置２の下方において、当該遊技装置２前面を覆う矩形板状に形成されている。
【００２７】
ベースプレート３１は、若干上寄りの位置に形成された払出口３１ａと、その払出口３１ａの直ぐ下側の位置に形成された下側連通孔３１ｂとを有する。払出口３１ａは、メダルを１枚挿通できる程度の幅寸法に設定されており、後面側に突出する連通ダクト３１ａ´が延設されている。この払出口３１ａは、連通ダクト３１ａ´を介して、遊技装置２の内蔵する図示しない払出ホッパに連通する払出用の孔である。これに対し、下側連通孔３１ｂは、払出口３１ａに比して幅広な寸法に設定されており、遊技装置２に内蔵される計数処理部２９のホッパ部３４に連通する計数用の孔である。ホッパ部３４は計数受入れ部３０に投入された遊技媒体を貯留する貯留手段として機能する。
【００２８】
取付体３２は、図５及び図６に示すように縦長な矩形板状をなす後壁３２ａと、その下半部から前側に張出す枠壁３２ｂ〜３２ｄとを一体に有する。取付体３２の後壁３２ａは、ベースプレート３１の払出口３１ａに対応する払出口３２ｅ１、及び下側連通孔３１ｂに対応する連通孔３２ｅ２を有する。取付体３２は、ベースプレート３１の上部に合わせて取付けられたときに、上側の払出口３１ａ，３２ｅ１が相互に連なるとともに下側連通孔３１ｂと連通孔３２ｅ２とが相互に連なるようになっている。
【００２９】
取付体３２の枠壁３２ｂ〜３２ｄは、遊技装置２と同じ幅寸法で対向しつつ前方へ延出する左右の枠壁３２ｂ，３２ｃと、前の枠壁３２ｄとで枠状をなす。左右の枠壁３２ｂ，３２ｃの上縁は、計数受入れ部３０の寸法形状に合わせるように、前の枠壁３２ｄ側に向かって下方へ緩やかに傾斜している。枠壁３２ｂ〜３２ｄの内方は、仕切壁３５により左右に仕切られ、その仕切壁３５右側の連通孔３２ｅ２に通じる計数用の構造と、仕切壁３５左側の払出口３２ｅ１に通じる底面３５ａがある払出用の構造とを形成している。
【００３０】
即ち、取付体３２の枠壁３２ｂ〜３２ｄ内の左側には、後壁３２ａの連通孔３２ｅと、前の枠壁３２ｄの切欠部３２ｆと、を繋ぐ仕切壁３５の底面３５ａが、前方に向かってなだらかに下方へ傾斜している。また、取付体３２の前の枠壁３２ｄには、その切欠部３２ｆに合わせて払出ノズル２７が取付けられる。これにより、取付体３２は、前記払出部から送出されるメダルが、図５の払出口３１ａ，連通孔３２ｅを通して、仕切壁３５左側の底面３５ａを経由した後、前方の切欠部３２ｆから払出ノズル２７を介して流下する払出通路Ａを形成している。尚、払出通路Ａについて、図６では分解図のため便宜上２つに分けているが、図５及び図６の矢印Ａで示すように１つの払出用の通路を形成する。前記払出しホッパを含む払出部は、前記貸出操作による貸出処理（或いは前記持玉を対価とした再プレイ処理等）に伴い、払出通路Ａを介して払出ノズル２７からメダルを払出す払出手段に相当する。
【００３１】
一方、計数受入れ部３０から投入するメダルは、取付体３２右側の連通孔３２ｅ２を介して、ベースプレート３１の下側連通孔３１ｂから計数部に流入する計数通路Ｂを形成している。この計数通路Ｂについても、図６では２つに分けているが、図５の矢印Ｂで示すように１つの計数用の通路を形成する。
【００３２】
また、図６に示す下側取付体３３は、その上半部にて上方に向かうにつれ前方へ膨らむように膨出した膨出部３３ａと、下半部にて板状をなす後壁３３ｂとを一体に有する。下側取付体３３は、ベースプレート３１において、取付体３２の下側に膨出部３３ａが連なるようにして取付けられる。
【００３３】
計数受入れ部３０は例えば合成樹脂材料からなり、その全体形状は上記した取付体３２，３３の払出通路Ａ及び計数通路Ｂの形状に対応した漏斗状をなす。具体的には図６に示すように、計数受入れ部３０は、取付体３２の枠壁３２ｂ〜３２ｄに上側から被さる周壁３０ｂ〜３０ｄ及び後壁３０ａと、その内側の計数斜面３６ａ〜３６ｃとの一体形成により、上面側が開口し且つ下端に計数口３６ｄを有する漏斗部３６が形成されている。
【００３４】
ここで、漏斗部３６の左側において、第１計数斜面３６ａは、周壁３０ｂ上端から右方（内方）に向かって下方へ傾斜し、その後部の第２計数斜面３６ｂは、後壁３０ａ上端から前方に向かって下方へ傾斜する。これにより、計数受入れ部３０は、その少なくとも一部（左部の計数斜面３６ａ，３６ｂや周壁３０ｂ，３０ｄ等）の形状が、取付体３２の左部及び払出ノズル２７の基端部といった払出通路Ａの形状に対応しており、その計数斜面３６ａ，３６ｂは、当該払出通路Ａの底面３５ａに対して天井部となる。つまり、ベースプレート３１、取付体３２，３３及び計数受入れ部３０は、それら部品３０〜３３が遊技装置２に組付けられて、払出通路Ａ及び計数通路Ｂの共通部品となる組立体にあって、計数受入れ部３０の一部の計数斜面３６ａ，３６ｂは、払出通路Ａのスペースを確保した形状となっている。
【００３５】
また、漏斗部３６の右側において、主面となる第３計数斜面３６ｃは、周壁３０ｄ上端から後方に向かって下方へ傾斜し、後壁３０ａ下端に形成された開口である計数口３６ｄを、取付体３２の連通孔３２ｅ２に対応する最深部としている。こうして、計数受入れ部３０において、漏斗部３６の計数斜面３６ａ〜３６ｃは、上面側から投入されるメダルが計数口３６ｄへと滑り落ちるような斜面となっており、当該滑り落ちたメダルは、計数口３６ｄから取付体３２の連通孔３２ｅ２（つまり計数通路Ｂ側）へと受入れ、前記計数部で計数可能としている。
【００３６】
図５及び図６に示すように、払出ノズル２７は貸出処理や再プレイ処理等により本体側の払出口３１ａから払い出されるメダルを払出口３２ｅ１から払出ノズル２７を通過して排出可能な構成とする一方、計数受入れ部３０にて受け入れたメダルを計数口３６ｄを介して本体側の下側連通孔３１ｂへ排出することで、本体内部の計数処理部２９にてメダルを計数可能としている。なお、払出口３１ａ、３２ｅ１から払出ノズル２７に至る経路はメダルの払出通路Ａを構成している。
【００３７】
図５及び図６に示すように、計数受入れ部３０と払出口３２ｅ１を含む払出通路Ａは共通部品を採用する等により一体構成となっていることから、払出通路Ａの上方の計数受入れ部３０の一部の第１計数斜面３６ａ等は払出通路Ａのスペースを確保した形状となっている。また、計数受入れ部３０の計数斜面３６ａ、３６ｂ、３６ｃは計数受入れ部３０にて受け入れたメダルが計数口３６ｄへと滑り落ちる様に形成された斜面であり、計数口３６ｄの下方には図７から図９に示す計数ユニット４０が配置されている。なお、図９に示された計数ユニット４０の方向は、図７に示された計数ユニット４０の向きに対して逆方向に示されている。
【００３８】
図７から図９に示す様に、計数ユニット４０は、ホッパ部３４と計数処理部２９とにより構成され、計数処理部２９には、メダルを受け入れてメダル排出口４３から排出するための回転盤４４が設けられている。回転盤４４は、平置き状態のメダルを１枚ずつ収容するメダル凹部孔４４ａが周方向等間隔の５カ所に設けられた回転部材である。メダル凹部孔４４ａのメダルは、回転盤４４の回転に応じて１枚ずつメダル通路４３ａに送り出される。回転盤４４は、メダル通路４３ａにメダルが送り出される回転位置毎にステップ単位で回転駆動され、回転盤４４の回転ステップ数に応じた枚数のメダルがメダル排出口４３に通じるメダル通路４３ａに送出される。
【００３９】
図９に示されるように、メダル通路４３ａの底面には計数センサ２９ａが配設されている。計数センサ２９ａは、メダルがメダル排出口４３に排出されてメダル通路４３ａを通過する途中で当該メダルを検知する。計数センサ２９ａとしては、例えば交流磁界を発生させる検出コイルを備える磁気誘導型の近接センサを用いることができる。なお、図５に示すように、計数口３６ｄから排出されたメダルは遊技者側からホッパ部３４に受け入れられ、メダル排出口４３から島側に排出される。
【００４０】
計数ユニット４０における動作フローとしては以下のような流れとなっている。
計数開始
正回転１（計数中）３ｓ（通常計数処理）
逆回転（リトライ）２．５ｓ（第１計数補助処理）
正回転２（計数中）３ｓ（第２計数補助処理）
自動停止
上記フローにおいて、メダルを計数カウントしたら正回転１から再度開始する。また、最後のメダルカウントから約８．５ｓ後に自動停止する。なお、上記フローではサブ計数タイマとして正回転１と異なる期間を設定可能としているが、同一タイマを使用してもよい。
【００４１】
次に、遊技装置２の動作を説明する。遊技装置２は、図２に示す様に、貨幣投入口２２から貨幣を受け付ける（貨幣受付処理）と、遊技装置２の表示部２８に入金額が残高に加算して表示され、残高がある状態で遊技装置２の払出釦（貸出釦）２６を押下（貸出操作、付与操作）すると払出単位（例えば１０００円）分の貸出メダル（対価付与価値）が払出ノズル２７から払出され（対価付与処理）、その対価分が残高から引落とされる。尚、貨幣は複数回分の対価付与処理の対応分を受付可能である（例えば1万円まで）。
【００４２】
遊技装置２は中継装置３とのシリアル通信により管理装置２にて貨幣受付処理や対価付与処理、残高や持玉、貸出玉数、払戻玉数、入金額、計数玉数や貸出玉数や貸出玉の対価となる売上額、及びＩＣカードの受付や発行処理等の各種情報を特定可能とするが、これらをパルス信号（例えば入金１０００円毎に1パルス、売上１００円毎に１パルス等）にて特定可能としても良い。
【００４３】
次に、遊技装置２における計数処理の内容について図７から図９を参照しながら説明する。遊技装置２は、ホッパ部３４（貯留手段）内に貯留する遊技媒体（メダル）の個数を計数するための計数処理中に、計数処理の停止操作を許容する第１期間と、計数処理の停止操作を第１期間に比較して抑制される第２期間を設ける。計数処理とは遊技媒体（メダル）の計数を行うための処理であり、計数処理には遊技媒体を計数処理部２９（計数処理手段）に送出させるための回転盤４４を回転させる処理が含まれる。計数処理中は表示部２８の表示が図１１に示す計数中用の表示に移行する。なお、計数処理の停止操作を抑制する場合には、計数処理の停止操作を不可として許容しない場合だけでなく、例えば操作釦を一時的に表示しない等により計数処理の停止操作を時間的に制限する場合も含む。
【００４４】
各遊技機１に対応した遊技装置２（各台計数機）は中継装置３を介して遊技機１や管理装置５等と各種情報の送受信を行う一方、計数受入れ部３０にて受け入れたメダルを計数処理部２９において計数する。遊技装置２においては、計数処理部２９の回転盤４４が回転することで計数センサ２９ａにてメダルを検知可能とし、計数処理が行われる。
【００４５】
図１０は、遊技装置２における計数処理において、通常計数処理の後、第１計数補助処理を実施し、メダルを計数したため通常計数処理を再開した後に、第１計数補助処理でメダルを計数することなく逆計数タイマがタイムアップし、次いで第２計数補助処理を実施した場合のタイムチャートを例示している。図１０に示す様に、遊技装置２は、計数センサ２９ａによって最後のメダル検知後一定期間（通常計数タイマ分、例えば３秒）メダルを検知しない場合、更に一定期間（逆転計数タイマ分、例えば２．５秒）回転盤４４を逆回転させ、それでもメダル検知しない場合には、もう一度回転盤４４を一定期間（サブ計数タイマ分、例えば３秒）正回転させる計数補助処理を行う。すなわち、計数補助処理では、回転盤４４を正回転に対して逆回転させる処理と、逆回転後に正回転に戻す処理が行われる。
【００４６】
計数補助処理中にメダルを検知した場合はそれ以前の通常計数処理中にメダルを検知した際と同様に処理する。つまり、計数補助処理を行う期間において遊技媒体を検知した場合は通常計数処理を行い、この通常計数処理後にも計数補助処理を再度行う。メダルを検知しない場合はサブ計数タイマ分の正回転後に回転盤４４を停止する。
【００４７】
計数処理には、ホッパ部３４内に貯留される遊技媒体を計数する通常計数処理と、通常計数処理後にホッパ部３４内に残存する遊技媒体が残存しないようにするために実行される計数補助処理とが含まれ、計数補助処理に対応して第２期間が設けられる。なお、正回転方向とは、通常計数処理における回転盤４４の回転方向を意味し、逆回転方向とは正回転方向の逆方向回転を意味する。
【００４８】
返却釦２５の操作により、遊技者が所有する遊技価値を特定可能なＩＣカード等の記録媒体（図示せず）の発行処理を行うが、計数処理中は返却釦２５を一時的に不能化して発行処理を制限すなわち抑制する。すなわち、計数処理手段による遊技媒体の計数処理中には、返却釦２５（発行処理手段）における記録媒体の発行処理が抑制される。よって、回転盤４４の停止により計数処理が終了すると、発行処理が許容される。なお、返却釦２５は、遊技者が所有する遊技価値を特定可能な記録媒体の発行処理を行う発行処理手段として機能する。
【００４９】
計数処理が終了するまで発行処理が抑制されることや、計数処理により遊技に集中できないといった理由により、計数処理を停止するための停止操作を可能とする。停止操作は図１１に示す通り表示部２８における計数中表示を行う際に表示される計数停止釦２８ｂの操作により受け付けられる。
【００５０】
遊技装置２に供給する電圧の関係で、計数処理中は発行処理（返却釦２５の操作）を不能とする。よって、発行処理を急ぐ遊技者は計数処理により計数されるメダルがなくなったと判断すると、計数停止釦２８ｂを押下して計数処理を中断させ、発行処理を行う傾向が見受けられる。
【００５１】
計数処理中にいつでも停止操作を許容すると、計数補助処理を行う意味合いが薄れるので通常計数処理、及び計数補助処理の一部である回転盤４４の逆回転中には計数停止釦２８ｂを表示せず停止操作を一時的に制限すなわち抑制し、この抑制する期間を第２期間として示している。なお、計数処理中は貸出処理や再プレイ処理等も不能となる。
【００５２】
一方で、計数補助処理の一部の期間であるサブ計数タイマが作動する正回転中には停止操作を許容することで、遊技者の、発行処理を行うため計数処理を停止したいというニーズや、計数処理により遊技に集中できないため計数処理を停止したいというニーズに対応する。
【００５３】
次に遊技装置２における処理フローについて、図１２から図１４を参照して説明する。以下の処理は具体的には遊技装置２の制御部２ａが制御するが、以下の説明では遊技装置２が制御部として機能するものとして説明する。
【００５４】
遊技装置２は、計数待機中には（Ｓ１０：ＮＯ）、計数開始条件が成立したか（Ｓ１１）を判定する待機フローを実行する。遊技装置２において、計数センサ２９ａがメダルを検知したり、遊技者が計数開始操作を行ったりすると計数開始条件が成立する（Ｓ１１：ＹＥＳ）。なお、図には示していないが計数開始条件がメダル検知により成立した場合にも計数値は加算される。
【００５５】
計数待機中に（Ｓ１０：ＮＯ）、計数開始条件が成立すると（Ｓ１１：ＹＥＳ）、回転盤４４の回転を開始する等して計数処理を開始し（Ｓ１２）、通常計数タイマの作動を開始して（Ｓ１３）、通常計数フラグを１にし（Ｓ１４）、返却釦２５を非有効化する（Ｓ１５）。その後、新たにメダルを計数することなく（Ｓ１６：ＮＯ）、回転盤４４が正回転中で（Ｓ１７：ＹＥＳ）、通常計数フラグが１で（Ｓ１８：ＮＯ）、通常計数タイマがタイムアップしていないことから（Ｓ３５：ＮＯ）、計数処理中の状態でリターンすると、計数処理中において（Ｓ１０：ＹＥＳ）、メダルを計数したかを判定し（Ｓ１６）、計数しない場合（Ｓ１６：ＮＯ）、回転盤４４が正回転中で（Ｓ１７：ＹＥＳ）、通常計数フラグが１であることから（Ｓ１８：ＮＯ）、通常計数タイマがタイムアップしたか（Ｓ３５）を判定する待機フローとなる通常計数処理を行う。
【００５６】
ここで、遊技装置２は、メダルを計数すると（Ｓ１６:ＹＥＳ）、計数値を加算して（Ｓ２４）、通常計数タイマ（３秒）を再作動させ（Ｓ２５）、この場合は回転盤が正回転中であり（Ｓ２６：ＮＯ）、通常計数フラグが１であるため（Ｓ２９：ＮＯ）、リターンする。
【００５７】
一方で、最後のメダル検知から通常計数タイマ分メダルを検知しないまま通常計数タイマがタイムアップすると（Ｓ３５:ＹＥＳ）、回転盤４４の逆回転を開始し（Ｓ３６）、通常計数フラグを０として（Ｓ３７）、逆転計数タイマ（２．５秒）の作動を開始し（Ｓ３８）、リターンして、計数処理中において（Ｓ１０:ＹＥＳ）、メダルを計数したかを判定し（Ｓ１６）、計数しない場合（Ｓ１６:ＮＯ）、回転盤４４が逆回転中であることから（Ｓ１７:ＮＯ）、逆転計数タイマがタイムアップしたか（Ｓ３１）を判定する待機フローとなる第１計数補助処理（逆回転に対応）に移行する。
【００５８】
ここで、遊技装置２がメダルを計数した場合（Ｓ１６：ＹＥＳ）、計数値を加算して（Ｓ２４）、通常計数タイマの作動を開始し（Ｓ２５）、回転盤４４が逆回転中であることから（Ｓ２６:ＹＥＳ）、通常計数フラグを１とし（Ｓ２７）、回転盤４４を正回転として通常計数処理を再開する。
【００５９】
一方で遊技装置２がメダルを検知しないまま逆転計数タイマがタイムアップすると（Ｓ３１:ＹＥＳ）、回転盤４４の正回転を開始し（Ｓ３２）、サブ計数タイマの作動(3秒)を開始し（Ｓ３３）、計数停止釦２８ｂを有効化する（Ｓ３４）。このようにして、計数処理中において（Ｓ１０:ＹＥＳ）、メダルを計数したかを判定し（Ｓ１６）、計数しない場合（Ｓ１６:ＮＯ）、回転盤４４が正回転中で（Ｓ１７:ＹＥＳ）、通常計数フラグが０であることから（Ｓ１８:ＹＥＳ）、サブ計数タイマがタイムアップしたか（Ｓ１９）と、計数停止釦２８ｂの操作を受付したか（Ｓ２３）とを判定する待機フローとなる第２計数補助処理（正回転に対応）を行う。この期間は計数停止釦２８ｂが有効化されることにより計数処理の停止操作を許容する第１期間となる。
【００６０】
ここで、遊技装置２がメダルを計数した場合（Ｓ１６:ＹＥＳ）、回転盤４４が正回転中であり（Ｓ２６:ＮＯ）、通常計数フラグが０であることから（Ｓ２９:ＹＥＳ）、通常計数フラグを１として（Ｓ３０）、計数停止釦２８ｂを非有効化し（Ｓ２２）、リターンして通常計数処理を再開する。一方、遊技装置２がメダルを検知しないままサブ計数タイマがタイムアップした場合は（Ｓ１９：ＹＥＳ）、計数処理を終了して計数待機中とすべく、回転盤４４を停止し（Ｓ２０）、返却釦２５を有効化して（Ｓ２１）、計数停止釦２８ｂを非有効化する（Ｓ２２）。また、計数停止釦２８ｂの操作を受付けた場合も（Ｓ２３:ＹＥＳ）同様に計数処理を終了して計数待機中となる。なお、計数待機中に再度計数開始条件が成立すれば（Ｓ１１:ＹＥＳ）、通常計数処理を再開する。
【００６１】
以上説明した実施形態によれば、次のような効果を奏する。
計数ユニット４０のホッパ部３４内に溜まった遊技媒体（メダル）を計数するための計数処理の停止操作を許容する第１期間と、計数処理の停止操作を抑制する第２期間とを設けるため、ホッパ部３４内に遊技媒体が留まった状態で放置される虞を低減可能となる。
【００６２】
また、計数処理中に発行処理を抑制するため、計数処理と発行処理とが同時に行われることにより処理負担を軽減可能となると共に、発行処理後に遊技媒体が計数される恐れが低減される。
【００６３】
計数処理には、通常計数処理と、通常計数処理後にホッパ部３４内に残存する遊技媒体を確認するための計数補助処理とが含まれ、当該計数補助処理において第２期間を設けるため、計数補助処理が行われずに遊技媒体が残存する虞を低減可能となる。
【００６４】
通常計数処理と、計数補助処理における回転盤４４を逆回転させる期間とを第２期間とする一方、計数補助処理における回転盤４４を正回転させる期間を第１期間とするため、第２期間から第１期間に移行したことを回転盤４４の回転により把握し易くなる。
【００６５】
計数補助処理を行う期間において遊技媒体を検知した場合に通常計数処理を行い、当該通常計数処理後にも計数補助処理を再度行うため、計数補助処理中に残存するメダル、又は、追加投入したメダルを検知した場合であっても適切に対応可能となる。
【００６６】
（その他の実施形態）
本発明は、上記実施形態に限定されることなく、次のように変形または拡張できる。
第２計数補助処理にて停止操作を許容することを例示したが、第１計数補助処理や通常計数処理にて停止操作を許容する構成や、正回転や逆回転に関わりなく停止操作を抑制する構成も想定でき、計数処理において停止操作を許容する期間と抑制する期間とを設ければどのように構成しても良い。
【００６７】
抑制する処理として停止操作を禁止することを例示したが、例えば停止操作は受付けるが、許容する期間と比較して操作から停止までの期間を長くするといったように処理自体を禁止する以外に抑制する処理を採用しても良い。
【００６８】
計数補助処理として回転盤４４の回転方向を２回転換することを例示したが、1回転換して逆回転するだけでも良いし、回転盤４４を振動させるなど、回転方向を転換しない処理であってもホッパ部３４内に遊技媒体が残存しないようにするための処理であればどのような処理を計数補助処理としても良い。
【００６９】
計数処理として回転盤４４を回転させる処理を例示したが、例えばベルトコンベアのような構成で遊技媒体を送出する処理を計数処理のように、ホッパ部３４内に溜まった遊技媒体を計数するための処理であればどのような処理を計数処理としても良い。
【００７０】
例示した全ての遊技情報は入力した信号により直接的に特定しても演算式を利用して間接的に特定しても良い。
上記の数値、桁数、項目等は例示であり、どのような数値を採用しても良い。
【００７１】
「以下」と「未満」についてはどちらを採用しても良く、「達していない」等の表現は以下或いは未満となった場合のいずれにも対応する表現となる。「以上」と「超過」についても同様で、「達している」等の表現は双方に対応する表現となる。
【００７２】
対象となる遊技機は、計数処理を行う遊技機であればスロットマシン以外にパチンコ遊技機等どのような遊技機を対象としても良い。
例示した構成を適宜設定に応じて採用するか否かを変更しても良いし、変形例を含む例示した構成をどのように組み合わせても良いし、適宜構成を除外しても良い。
【符号の説明】
【００７３】
図面中、１は遊技機、２は遊技装置（制御部）、２５は返却釦（発行処理手段）、２９計数処理部（計数処理手段）、３０は計数受入れ部（計数受入手段）、３４はホッパ部（貯留手段）、４４は回転盤を示す。
【図１】
2020081445.tif 000003
【図２】
2020081445.tif 000004
【図３】
2020081445.tif 000005
【図４】
2020081445.tif 000006
【図５】
2020081445.tif 000007
【図６】
2020081445.tif 000008
【図７】
2020081445.tif 000009
【図８】
2020081445.tif 000010
【図９】
2020081445.tif 000011
【図１０】
2020081445.tif 000012
【図１１】
2020081445.tif 000013
【図１２】
2020081445.tif 000014
【図１３】
2020081445.tif 000015
【図１４】
2020081445.tif 000016